(57)【要約】【課題】画像処理の高速化と消費電力の抑制を両立させること。【解決手段】複合機は、読取部３０と、読取部６０と、ＣＰＵ２０と、画像処理部２３と、画像処理部２３に第１電圧値の動作電圧を供給する電圧供給部２２と、画像処理部２３に第１駆動周波数のクロック信号を供給するクロック信号供給部２５と、を有する。ＣＰＵ２０は、上流側に配置された読取部３０で読み取られた画像にソフト圧縮処理を実行する。画像処理部２３は、下流側に配置された読取部６０で読み取られた画像にハード圧縮処理を実行する。ＣＰＵ２０は、電圧供給部２２に対して、第１電圧値よりも低い第２電圧値の動作電圧を供給するように指示し、クロック信号供給部２５に対して、第１動作周波数よりも低く、第２電圧値に対応しており、更に、ソフト圧縮処理に併せてソフト圧縮処理を完成させる第２動作周波数のクロック信号を供給するように指示する。【選択図】図２
2014049947.tif 000002
【特許請求の範囲】
【請求項１】
原稿を搬送経路に沿って搬送する搬送部と、
前記搬送経路上に位置し、前記原稿の一方の面の画像を読み取る第１読取部と、
前記第１読取部より前記搬送経路上の下流側に位置し、前記原稿の他方の面の画像を読み取る第２読取部と、
前記第１読取部で読み取られた画像をソフトウェアにより圧縮する圧縮処理を実行する制御部と、
前記第２読取部で読み取られた画像をハードウェアにより画像処理する画像処理部と、
前記画像処理部に第１電圧値の動作電圧を供給する電圧供給部と、
前記画像処理部に第１動作周波数のクロック信号を供給するクロック信号供給部と、
を備え、
前記制御部は、
前記第１電圧値より低い第２電圧値の前記動作電圧を供給するように前記電圧供給部に指示し、かつ、前記第１動作周波数より低い第２動作周波数であって、前記ソフトウェアによる圧縮処理の完了に併せて前記画像圧縮部による圧縮を完了させる前記第２電圧値に応じた前記第２動作周波数のクロック信号を供給するように前記クロック信号供給部に指示する指示処理を更に実行する、画像読取装置。
【請求項２】
請求項１に記載の画像読取装置であって、
前記第２動作周波数は、前記ソフトウェアによる圧縮処理の完了に先だって前記画像圧縮部による圧縮を完了させる動作周波数である、画像読取装置。
【請求項３】
請求項１または請求項２に記載の画像読取装置であって、
前記制御部は、
前記第１電圧値の動作電圧を供給するように前記画像処理部に指示し、かつ、前記第１動作周波数のクロック信号を供給するように前記画像処理部に指示する第１動作モードと、前記第２電圧値の動作電圧を供給するように前記画像処理部に指示し、かつ、前記第２動作周波数のクロック信号を供給するように前記画像処理部に指示する第２動作モードと、を選択する選択処理を更に実行し、
前記選択処理において前記第２動作モードが選択された場合に、前記指示処理を実行する、画像読取装置。
【請求項４】
請求項３に記載の画像読取装置であって、
前記第１動作モードは、前記画像圧縮部による圧縮を、前記制御部による圧縮処理より早く完了させる動作モードであって、
前記第２動作モードは、前記画像圧縮部による圧縮を、前記制御部による圧縮処理に併せて完了させる動作モードである、画像読取装置。
【請求項５】
請求項４に記載の画像読取装置であって、
外部装置と通信する通信部をさらに備え、
前記第２動作モードは、前記外部装置からの指示により前記第１読取部及び前記第２読取部で前記画像を読み取って圧縮し、圧縮した前記画像を前記通信部を介して前記外部装置に転送する動作モードである、画像読取装置。
【請求項６】
請求項４に記載の画像読取装置であって、
前記第２動作モードは、消費電力を抑えて動作する動作モードである、画像読取装置。
【発明の詳細な説明】
【技術分野】
【０００１】
本明細書に開示される発明は、原稿の両面の画像を読み取る画像読取装置に関する。
【背景技術】
【０００２】
従来、原稿の両面の画像を読み取る画像読取装置において、原稿の各面を読み取った各画像を別々に圧縮する画像読取装置が知られている（例えば、特許文献１）。この画像読取装置では、原稿の一方の面を読み取った画像をハードウェアにより圧縮し、原稿の他方の面を読み取った画像をソフトウェアにより圧縮する。一般に、ハードウェアによる圧縮は、ソフトウェアによる圧縮よりも長い圧縮時間が必要となる。そこで、従来より、先に読み取られた画像に対してソフトウェアにより圧縮し、後に読み取られた画像に対してハードウェアにより圧縮することで、ハードウェアとソフトウェアによる圧縮時間の差を緩和し、画像処理を高速化する技術が用いられている。
【先行技術文献】
【特許文献】
【０００３】
【特許文献１】特開平９−２３３４０号公報
【発明の概要】
【発明が解決しようとする課題】
【０００４】
画像読取装置では、消費電力の抑制が求められる。従来技術では、画像処理を高速化する技術が開示されているものの、消費電力を抑制する技術については、何ら有効な技術が提示されていない。
【０００５】
本明細書では、原稿の両面の画像を読み取る画像読取装置において、画像処理の高速化と消費電力の抑制を両立させる技術を開示する。
【課題を解決するための手段】
【０００６】
本明細書によって開示される画像読取装置は、原稿を搬送経路に沿って搬送する搬送部と、前記搬送経路上に位置し、前記原稿の一方の面の画像を読み取る第１読取部と、前記第１読取部より前記搬送経路上の下流側に位置し、前記原稿の他方の面の画像を読み取る第２読取部と、前記第１読取部で読み取られた画像をソフトウェアにより圧縮する圧縮処理を実行する制御部と、前記第２読取部で読み取られた画像をハードウェアにより画像処理する画像処理部と、前記画像処理部に第１電圧値の動作電圧を供給する電圧供給部と、前記画像処理部に第１動作周波数のクロック信号を供給するクロック信号供給部と、を備え、前記制御部は、前記第１電圧値より低い第２電圧値の前記動作電圧を供給するように前記電圧供給部に指示し、かつ、前記第１動作周波数より低い第２動作周波数であって、前記ソフトウェアによる圧縮処理の完了に併せて前記画像圧縮部による圧縮を完了させる前記第２電圧値に応じた前記第２動作周波数のクロック信号を供給するように前記クロック信号供給部に指示する指示処理を更に実行する。
【０００７】
この画像読取装置では、搬送経路上の上流側に位置し、原稿を先に読み取る第１読取部で読み取られた画像を制御部においてソフトウェアにより圧縮し、搬送経路上の下流側に位置し、原稿を後に読み取る第２読取部で読み取られた画像を画像処理部においてハードウェアにより圧縮する。一般に、ソフトウェアによる圧縮は、ハードウェアによる圧縮よりも長い圧縮時間が必要となる。そのため、原稿を先に読み取る第１読取部で読み取られた画像を比較的長い圧縮時間が必要となる制御部で圧縮することで、制御部と画像処理部における圧縮時間の差が緩和され、画像処理を高速化することができる。一方、上記のように構成した場合でも、制御部の圧縮完了時間は、画像処理部の圧縮完了時間よりも遅く、圧縮完了時間に時間差が生じる。
【０００８】
この画像読取装置では、この時間差に基づいて画像読取装置の消費電量を抑制する。つまり、この画像読取装置では、制御部における圧縮が完了するのに併せて画像処理部における圧縮が完了するように画像処理部の動作周波数を低下させ、それに対応させて画像処理部に供給される電圧を低下させることにより、画像処理部における消費電力を抑制する。この画像読取装置によれば、消費電力を抑制することができる。
【０００９】
また、上記の画像読取装置では、前記第２動作周波数は、前記ソフトウェアによる圧縮処理の完了に先だって前記画像圧縮部による圧縮を完了させる動作周波数である構成としても良い。
【００１０】
この画像読取装置によれば、画像処理部の圧縮完了時間が制御部の圧縮完了時間よりも遅くなることが回避され、画像処理が高速化された状態を維持したまま、画像読取装置の消費電量を抑制することができる。
【００１１】
また、上記の画像読取装置では、前記制御部は、前記第１電圧値の動作電圧を供給するように前記画像処理部に指示し、かつ、前記第１動作周波数のクロック信号を供給するように前記画像処理部に指示する第１動作モードと、前記第２電圧値の動作電圧を供給するように前記画像処理部に指示し、かつ、前記第２動作周波数のクロック信号を供給するように前記画像処理部に指示する第２動作モードと、を選択する選択処理を更に実行し、前記選択処理において前記第２動作モードが選択された場合に、前記指示処理を実行する構成としても良い。
【００１２】
この画像読取装置によれば、第２動作モードが選択されることで、画像読取装置の消費電力が抑制される。
【００１３】
また、上記の画像読取装置では、前記第１動作モードは、前記画像圧縮部による圧縮を、前記制御部による圧縮処理より早く完了させる動作モードであって、前記第２動作モードは、前記画像圧縮部による圧縮を、前記制御部による圧縮処理に併せて完了させる動作モードである構成としても良い。
【００１４】
この画像読取装置によれば、画像圧縮部による圧縮を、制御部による圧縮処理に併せて完了させる第２動作モードにおいて、画像読取装置の消費電力が抑制される。
【００１５】
また、上記の画像読取装置では、外部装置と通信する通信部をさらに備え、前記第２動作モードは、前記外部装置からの指示により前記第１読取部及び前記第２読取部で前記画像を読み取って圧縮し、圧縮した前記画像を前記通信部を介して前記外部装置に転送する動作モードである構成としても良い。
【００１６】
圧縮後の画像を外部装置に転送し、その後の処理を外部装置で行わせる、いわるゆＰＣスキャナモードでは、第１読取部及び第２読取部で読み取った画像の圧縮がほぼ同時に終了したとしても、画像読取装置における処理が煩雑とならない。この画像読取装置によれば、ＰＣスキャナモードにおいて、画像処理部の動作周波数を低下させ、それに対応させて画像処理部に供給される電圧を低下させることで、画像読取装置の消費電力を抑制することができる。
【００１７】
また、上記の画像読取装置では、前記第２動作モードは、消費電力を抑えて動作する動作モードである構成としても良い。この画像読取装置によれば、省エネモードにおいて、画像処理部の動作周波数を低下させ、それに対応させて画像処理部に供給される電圧を低下させることで、画像読取装置の消費電力を抑制することができる。
【発明の効果】
【００１８】
本明細書によって開示される画像読取装置では、画像処理の高速化と消費電力の抑制を両立させることができる。
【図面の簡単な説明】
【００１９】
【図１】複合機の概略的な断面図
【図２】複合機の電気的構成を概略的に示すブロック図
【図３】動作モードを説明する図
【図４】読取処理を示すフローチャート
【図５】両面読取処理を示すフローチャート
【図６】ソフト圧縮処理を示すフローチャート
【発明を実施するための形態】
【００２０】
＜実施形態＞
一実施形態を、図１ないし図６を用いて説明する。
【００２１】
１．複合機の外観構成
図１は、本実施形態の画像読取装置の一例である複合機１の断面図である。この複合機１は、プリンタ機能、スキャナ機能、コピー機能、ファクシミリ機能などを備えた多機能周辺装置である。
【００２２】
図１に示すように、複合機１は、本体部２に読取部３０、透明なガラス板からなる第１プラテンガラス５２と第２プラテンガラス５３、及びシート材に画像を印刷する画像形成部（不図示、図２参照）等を備え、本体部２の上方に原稿を読み取るための読取機構３を備えている。読取機構３は、原稿自動送り装置（以下、ＡＤＦ）４０、読取部６０等を含む。読取部３０は、第２読取部の一例であり、読取部６０は、第１読取部の一例である。
【００２３】
ＡＤＦ４０は、原稿カバー４８内に設けられており、ＡＤＦカバー４１、原稿トレイ４２、押圧部材４３、４４、各種ローラ４６、排紙トレイ４７、フロントセンサ（以下、Ｆセンサ）１１、第１リアセンサ（以下、Ｒ１センサ）１２、第２リアセンサ（以下、Ｒ２センサ）１３、透明なガラス板からなる第３プラテンガラス５５等を含む。
【００２４】
ＡＤＦ４０には、原稿を原稿トレイ４２から排紙トレイ４７に搬送する搬送経路４５が設けられている。以後、搬送経路４５に沿った方向を搬送方向と呼び、これに直交する方向を直交方向と呼ぶ。図１に、搬送方向を矢印８１で示す。また、搬送経路４５の原稿トレイ４２に近い側を上流側と呼び、搬送経路４５の排紙トレイ４７に近い側を下流側と呼ぶ。
【００２５】
ローラ４６は、原稿トレイ４２に載置された原稿を搬送経路４５に沿って搬送し、排紙トレイ４７に排紙する。つまり、ローラ４６及びローラ４６を回転駆動させるモータＭ（図２参照）によって、原稿トレイ４２に載置された原稿は、排紙トレイ４７へと搬送される。ローラ４６及びモータＭは、搬送部の一例である。
【００２６】
また、原稿トレイ４２に、Ｆセンサ１１が配置されている。Ｆセンサ１１は、原稿トレイ４２に原稿が載置されたか否かを検出する。また、搬送経路４５上には、Ｒ１センサ１２が配置されている。Ｒ１センサ１２は、ＡＤＦ４０によって読取部６０へと搬送される原稿の有無を検出する。さらに、搬送経路４５上のＲ１センサ１２の下流側には、Ｒ２センサ１３が配置されている。Ｒ２センサ１３は、ＡＤＦ４０によって読取部３０へと搬送される原稿の有無を検出する。
【００２７】
読取部６０は、搬送経路４５上のＲ１センサ１２の下流側であってＲ２センサ１３の上流側に配置されている。読取部６０は、原稿カバー４８内に配置され、直交方向に広がって形成されているとともに、ＡＤＦ４０に対して移動不能に支持されている。つまり、直交方向は、読取部６０の主走査方向に等しい。読取部６０は、搬送経路４５を搬送される原稿が第３プラテンガラス５５上を通過する際に当該原稿の裏面を読み取る。原稿の裏面は、原稿の一方の面の一例である。
【００２８】
押圧部材４３は、第３プラテンガラス５５を介して読取部６０と対向して配置される。押圧部材４３は、第３プラテンガラス５５上を通過する原稿が第３プラテンガラス５５から浮かないように、原稿を第３プラテンガラス５５に押圧する。
【００２９】
搬送経路４５のＲ２センサ１３の下流側に、読取部３０が配置されている。つまり、搬送経路４５上において、読取部３０は、読取部６０の下流側に配置されている。読取部３０は、本体部２内に配置されており、直交方向に広がって形成されている。つまり、直交方向は、読取部６０の主走査方向に等しい。また、読取部３０は、図１に矢印８２で示すように、副走査方向に移動可能に支持されている。読取部３０は、原稿を読み取る際に、図２に点線で示すように、副走査方向に移動しながら第１プラテンガラス５２上に静止して載置された原稿を読み取る。また、図２に実線で示すように、第２プラテンガラス５３下の読取位置Ｌに移動し、搬送経路４５を搬送される原稿の表面を読み取る。原稿の表面は、原稿の他方の面の一例である。
【００３０】
第２プラテンガラス５３に対向して、押圧部材４４が配置されている。押圧部材４４は、第２プラテンガラス５３上を通過する原稿が第２プラテンガラス５３から浮かないように、原稿を第２プラテンガラス５３に押圧する。なお、以下の説明において、特に記載がない場合には、図１に実線で示すように、読取位置Ｌに静止して搬送経路４５上を搬送される原稿の画像を読み取る読取部３０の状態及び動作を説明しているものとする。
【００３１】
次に、読取部６０の構造について説明する。読取部６０は、ＣＩＳ（Ｃｏｎｔａｃｔ  Ｉｍａｇｅ  Ｓｅｎｓｏｒ）を用いた、いわゆるＣＩＳ方式で第３プラテンガラス５５上に載置された原稿を読み取る。読取部６０は、複数の受光素子が主走査方向に直線状に配列されているリニアイメージセンサ６３、発光ダイオードなどで構成される光源６１、光源から照射される光を第３プラテンガラス５５上に配置された原稿等へと導く導光体６６、原稿等で反射された反射光をリニアイメージセンサ６３の各受光素子に結像させるロッドレンズアレイ６２、これらが搭載されるキャリッジ６４を含む。
【００３２】
読取部３０の構成は、読取部６０の構成と基本的に同じものであり、重複した説明を省略する。しかし、読取部３０及び６０の構造は、必ずしも同一の構造である必要はなく、例えば、読取部３０又は読取部６０のいずれか一方がＣＩＳであって、他方がＣＣＤであってもよい。
【００３３】
複合機１には、更に、各種のボタンやタッチパネルからなり、ユーザからの操作入力を受け付けるとともに、複合機１の状態を表示する表示／入力部７１が設けられている。
【００３４】
２．複合機の電気的構成
図２に示すように、複合機１は、中央処理装置（以下、ＣＰＵ）２０、ＲＯＭ２６、ＲＡＭ２７、電圧供給部２２、画像処理部２３、クロック信号供給部２５、デバイス制御部１４、アナログフロントエンド（以下、ＡＦＥ）１５、１６、ダイレクトメモリコントローラ２８、通信部１７、パネル制御部１８、駆動回路１９を備え、これらにバス２９を介して、Ｆセンサ１１及びＲセンサ１２、１３、などが接続されている。図２に点線２１で示すように、ＣＰＵ２０と、ＲＯＭ２６と、ＲＡＭ２７を含めたものが、制御部の一例である。
【００３５】
ＲＯＭ２６には、複合機１の動作を制御するための各種のプログラムが記憶されており、ＣＰＵ２０は、ＲＯＭ２６から読み出したプログラムに従って各部の制御を行うとともに、読取部３０で読み取られた画像データを当該プログラムを用いてソフトウェアにより圧縮するソフト圧縮処理を実行する。
【００３６】
デバイス制御部１４は、読取部３０、６０に各々接続されており、ＣＰＵ２０からの指示に基づいて、読取部３０、６０における原稿の読み取りを制御する読取制御信号を読取部３０、６０に送信する。読取部３０、６０は、デバイス制御部１４から読取制御信号を受け取ると、光源３１、４１を点灯し、搬送経路４５上を搬送される原稿から反射される反射光をリニアイメージセンサ３３、６３を用いて受光する。読取部３０（６０）は、リニアイメージセンサ３３（６３）が受光した受光量に応じたアナログ信号である画像データをリニアイメージセンサ３３（６３）の１ライン毎にＡＦＥ１５（１６）に出力する。
【００３７】
ＡＦＥ１５（１６）は、読取部３０（６０）に各々接続されており、ＣＰＵ２０からの指示に基づいて、読取部３０（６０）から出力されるアナログ信号の画像データをデジタル信号の画像データに変換する。ＡＦＥ１５（１６）によってＡ／Ｄ変換された画像データは、バス２９を介してＲＡＭ２７に記憶される。ＣＰＵ２０は、ソフト圧縮処理において、読取部３０により読み取られ、ＡＦＥ１５によってＡ／Ｄ変換された画像データを圧縮する。
【００３８】
電圧供給部２２は、ＣＰＵ２０からの指示に従って、装置外部から供給される外部電圧から第１電圧値又は第１電圧値よりも低い第２電圧値の動作電圧を生成し、画像処理部２３に供給する。また、クロック信号供給部２５は、ＣＰＵ２０からの指示に従って第１動作周波数又は第１動作周波数よりも低い第２動作周波数のクロック信号を生成し、画像処理部２３に供給する。
【００３９】
画像処理部２３は、電圧供給部２２から供給される動作電圧及びクロック信号供給部２５から供給されるクロック信号に基づいて動作し、読取部３０、６０で読み取られた画像データに種々の画像処理を実行する。また、画像処理部２３は、ハードウェアで構成されるＪｐｅｇ圧縮器２４を有しており、読取部６０で読み取られ、ＡＦＥ１６によってＡ／Ｄ変換された画像データをＪｐｅｇ圧縮器２４により圧縮するハード圧縮処理を実行する。つまり、複合機１において、読取部３０で読み取られた原稿裏面の画像データは、ＣＰＵ２０でソフトウェアにより圧縮され、読取部６０で読み取られた原稿表面の画像データは、画像処理部２３でハードウェアにより圧縮される。
【００４０】
ダイレクトメモリコントローラ２８は、ＲＡＭ２７への画像データの書き込み及び読み出しを制御する。通信部１７は、ＵＳＢケーブル等の通信回線を介して外部のコンピュータ（以下、外部ＰＣ）等に接続され、外部ＰＣ等との間で相互のデータ通信を可能としている。パネル制御部１８は、表示／入力部７１に接続され、表示／入力部７１を介してユーザから入力される入力指示を受け付けるとともに、ＣＰＵ２０からの指示に従って表示／入力部７１に所定の内容を表示する。
【００４１】
駆動回路１９は、モータＭに接続され、ＣＰＵ２０から入力されるパルス信号に基づいてモータＭを回転駆動する。モータＭは、パルス信号の１パルスで、１ステップの回転角度分、回転駆動する。モータＭが１ステップ分駆動すると、ローラ４６が所定角度回転し、搬送経路４５上を原稿が所定距離だけ搬送される。ＣＰＵ２０は、原稿を搬送する際に、駆動回路１９にパルス信号を送信し、これに従ってローラ４６は、そのパルス信号のパルスの数に規定距離を掛けた距離だけ原稿を搬送する。以後、ＣＰＵ２０が駆動回路１９に送信するパルス信号のパルスの数を、ステップ数と呼ぶ。
【００４２】
３．動作モード
図３を参照して、ＣＰＵ２０が画像処理部２３を制御する際の２つの動作モードについて説明する。ＣＰＵ２０は、画像処理部２３を制御する際に、電圧供給部２２及びクロック信号供給部２５を制御して、第１動作モードと第２動作モードのいずれかの動作モードに切り換えて制御を行う。
【００４３】
ＣＰＵ２０は、第１動作モードにおいて、電圧供給部２２に対して第１電圧値の動作電圧を供給するように指示し、クロック信号供給部２５に対して第１電圧値に対応した第１動作周波数のクロック信号を供給するように指示する。また、第２動作モードにおいて、電圧供給部２２に対して第２電圧値の動作電圧を供給するように指示し、クロック信号供給部２５に対して第２電圧値に対応した第２動作周波数のクロック信号を供給するように指示する。
【００４４】
第１動作モードでは、第２動作モードよりも動作周波数が高いことから、画像処理部２３のＪｐｅｇ圧縮器２４における圧縮処理の速度が第２動作モードに比べて速く、画像処理部２３における原稿の裏面画像の圧縮処理に必要な裏面圧縮時間ＴＵが、ＣＰＵ２０における原稿の表面画像の圧縮処理に必要な表面圧縮時間ＴＯよりも短い。そのため、第１動作モードでは、図３の上段に示すように、搬送経路４５に沿って読取部６０から読取部３０まで原稿を搬送するのに必要な搬送時間差ＨＴを考慮しても、表面画像の圧縮処理を、裏面画像の圧縮処理よりも基準時間ＫＴ以上早く完了させることができる。
【００４５】
そのため、第１動作モードでは、この基準時間ＫＴを利用して、例えば、裏面画像に先行させて裏面画像に画像形成部７０を用いた画像の形成を実行させることができる。その一方、第１動作モードでは、第２動作モードよりも動作電圧が高いことから、第２動作モードに比べて消費電力が高くなる。
【００４６】
また、第２動作モードでは、第１動作モードよりも動作周波数が低いことから、画像処理部２３のＪｐｅｇ圧縮器２４における圧縮処理の速度が第１動作モードに比べて遅く、画像処理部２３における裏面圧縮時間ＴＵが第１動作モードに比べて延長される。第２動作モードでは、図３の下段に示すように、上記搬送時間差ＨＴを考慮して、表面画像の圧縮処理が、裏面画像の圧縮処理に併せて完了するように、更に詳細には、表面画像の圧縮処理が、裏面画像の圧縮処理と同時あるいは裏面画像の圧縮処理の少し前に完了するように第２動作周波数が設定され、これに対応させて第２電圧値が設定されている。
【００４７】
そのため、第２動作モードでは、原稿の表面画像と裏面画像の両方の圧縮処理が完了する圧縮完了タイミングが、第１動作モードと同一のタイミングに維持される。また、第２動作モードでは、第１動作モードよりも動作電圧が低いことから、第１動作モードに比べて消費電力を抑制することができる。消費電力と動作電圧との関係を以下に示す。以下の式では、消費電力をＷで示し、動作電圧をＶで示す。また、動作周波数をＦで示し、比例係数をαで示す。
Ｗ＝α×Ｖ２×Ｆ×ＴＵ
【００４８】
上記式に示すように、消費電力は動作電圧の二乗に比例することから、動作電圧の電圧値を低くすることで、消費電力を抑制することができる。なお、動作周波数と裏面圧縮時間ＴＵの積は、動作周波数によらず略一定となることから、動作周波数を低くすることによる消費電力への影響は無視することができる。
【００４９】
３．読取処理
次に、図４ないし図６を参照して、ＡＤＦ４０を用いて原稿の両面を読み取る処理について説明する。当該処理では、原稿の両面を読み取り、読み取った画像を外部ＰＣに転送するか、画像形成部７０を用いた画像の形成を行うか、いずれかの処理を実行する。なお、本実施形態では、原稿としてＡ４やＢ５等の定型原稿を用いる。そのため、原稿の搬送開始タイミングから原稿の圧縮完了タイミングを推定することができ、その圧縮完了タイミングから第２駆動電圧及び第２動作周波数を設定することができる。
【００５０】
図４は、ＣＰＵ２０が所定のプログラムに従って実行する読取処理のフローチャートである。ＣＰＵ２０は、ユーザによって複合機１の原稿トレイ４２に原稿が載置され、表示／入力部７１を介して原稿の読取指示が入力されると、処理を開始する。
【００５１】
ＣＰＵ２０は、処理を開始すると、まず、画像処理部２３をいずれの動作モードで制御するかを選択する選択を開始する（Ｓ２、Ｓ４）。選択処理において、ＣＰＵ２０は、ユーザによって入力された読取指示にＰＣスキャナモードが設定されているかを確認する（Ｓ２）。ここで、「ＰＣスキャナモード」とは、圧縮後の画像データを通信部１７を介して外部ＰＣに転送する動作モードである。ＣＰＵ２０は、ＰＣスキャナモードが設定されていると、原稿の読み取り及び読み取った画像データの圧縮までの処理を実行し、圧縮後の画像データを外部ＰＣに転送する。そして、画像データの回転や並べ替えなどのその後の処理をＣＰＵ２０が行わず、外部ＰＣに実行させる。
【００５２】
また、ＣＰＵ２０は、ユーザによって入力された読取指示にＰＣスキャナモードが設定されていない場合（Ｓ２：ＮＯ）、さらに当該読取指示に省エネモードが設定されているかを確認する（Ｓ４）。ここで、「省エネモード」とは、消費電力を抑えて動作する動作モードである。
【００５３】
ＣＰＵ２０は、ユーザによって入力された読取指示に、ＰＣスキャナモード又は省エネモードが設定されている場合（Ｓ２：ＹＥＳ又はＳ２：ＮＯ、Ｓ４：ＹＥＳ）、第２動作モードが選択されたと判断する。この場合、ＣＰＵ２０は、画像処理部２３を第２動作モードで制御するために、電圧供給部２２に対して第２電圧値の動作電圧を供給するように指示し（Ｓ６）、クロック信号供給部２５に対して第２動作周波数のクロック信号を供給するように指示する（Ｓ８）。そして、第２動作モードで制御された画像処理部２３を用いて、原稿の両面読取処理を実行する（Ｓ１４）。ステップＳ６及びステップＳ８の処理は、指示処理の一例である。
【００５４】
一方、ＣＰＵ２０は、ユーザによって入力された読取指示に、ＰＣスキャナモードも省エネモードも設定されていない場合（Ｓ２：ＮＯ、Ｓ４：ＮＯ）、第１動作モードが選択されたと判断する。この場合、ＣＰＵ２０は、画像処理部２３を第１動作モードで制御するために、電圧供給部２２に対して第１電圧値の動作電圧を供給するように指示し（Ｓ１０）、クロック信号供給部２５に対して第１動作周波数のクロック信号を供給するように指示する（Ｓ１２）。そして、第１動作モードで制御された画像処理部２３を用いて、原稿の両面読取処理を実行する（Ｓ１４）。
【００５５】
（両面読取処理）
図５に、両面読取処理のフローチャートを示す。
ＣＰＵ２０は、両面読取処理を開始すると、駆動回路１９を制御し、ステップ数単位で搬送経路４５に沿った原稿の搬送を開始する（Ｓ２２）。ＣＰＵ２０は、Ｒ１センサ１２を用いて搬送経路４５を搬送される原稿の位置を確認する（Ｓ２４：ＮＯ）。ＣＰＵ２０は、Ｒ１センサ１２がオンし、搬送経路４５のＲ１センサ１２に対応する位置に原稿が到達したことを検出すると（Ｓ２４：ＹＥＳ）、Ｒ１センサ１２がオンしてから搬送方向におけるＲ１センサ１２と読取部６０の間の距離に相当する第１ステップ数だけ原稿を更に搬送し、読取部６０を用いて原稿の裏面画像の読み取りを開始する（Ｓ２６）。これにより、ＲＡＭ２７には、読取部６０のリニアイメージセンサ６３によって読み取られ、画像処理部２３によって各種補正された裏面画像の画像データがリニアイメージセンサ６３の１ライン毎に順に記憶される。ＣＰＵ２０は、裏面画像の読み取りを開始すると、読み取られた裏面画像に対してソフト圧縮処理を開始する（Ｓ２８）。
【００５６】
（ソフト圧縮処理）
図６に、ソフト圧縮処理のフローチャートを示す。
ＣＰＵ２０は、ソフト圧縮処理を開始すると、ＲＡＭ２７に裏面画像の画像データが１６ライン分、記憶されているかどうかを判断する（Ｓ６２）。具体的には、ＣＰＵ２０は、ＲＡＭ２７に裏面画像の画像データが何ライン記憶されたかどうかをカウントすることで判断する。
【００５７】
ＣＰＵ２０は、ＲＡＭ２７に、裏面画像の画像データが１６ライン分、記憶されていない場合（Ｓ６２：ＮＯ）、例えばＲ１センサ１２を用いて裏面画像の読み取りが終了したかを確認し（Ｓ６４）、裏面画像の読み取りが終了していない場合（Ｓ６４：ＮＯ）、Ｓ６２からの処理を繰り返す。
【００５８】
一方、ＣＰＵ２０は、ＲＡＭ２７に、裏面画像の画像データが１６ライン分、記憶されている場合（Ｓ６２：ＹＥＳ）、ＲＡＭ２７から１６ライン分の画像データを読み出し（Ｓ６６）、ソフトウェアにより圧縮する（Ｓ６８）。そして、ＣＰＵ２０は、圧縮された１６ライン分の画像データをＲＡＭ２７に出力する（Ｓ７０）。
【００５９】
次にＣＰＵ２０は、ＰＣスキャナモードが設定されているかを確認し（Ｓ７２）、ＰＣスキャナモードが設定されている場合（Ｓ７２：ＹＥＳ）、ＲＡＭ２７に出力された圧縮された画像データを、通信部１７を介して外部ＰＣに転送する（Ｓ７４）。一方、ＰＣスキャナモードが設定されていない場合（Ｓ７２：ＮＯ）、ＣＰＵ２０は、ＲＡＭ２７に出力された圧縮された画像データに対して回転や並べ替えなどの処理を実行し、ＲＡＭ２７に出力される複数の画像データによって圧縮された裏面画像を形成する。
【００６０】
ＣＰＵ２０は、裏面画像の読み取りが終了したこと、及びＲＡＭ２７に裏面画像の画像データが残っていないこと、の両方の事象の発生を監視し（Ｓ７６）、少なくとも一方の事象が発生していない場合（Ｓ７６：ＮＯ）、Ｓ６２からの処理を繰り返す。この場合、ＲＡＭ２７に裏面画像の画像データが１６ライン分、記憶されていない状態で、裏面画像の読み取りが終了する事態が発生することがある（Ｓ６２：ＮＯ、Ｓ６４：ＹＥＳ）。
【００６１】
この場合に、ＣＰＵ２０は、ＲＡＭ２７から１６ライン分未満の画像データを読み出すとともに、ダミーの画像データを生成し、裏面画像の画像データとダミーの画像データとが混合した１６ライン分の画像データを生成する（Ｓ７８）。そして、ＣＰＵ２０は、当該１６ライン分の画像データに対して、Ｓ６８ないしＳ７２の処理を実行する。
【００６２】
一方、ＣＰＵ２０は、裏面画像の読み取りが終了したこと、及びＲＡＭ２７に裏面画像の画像データが残っていないこと、の両方の事象が発生している場合（Ｓ７６：ＹＥＳ）、ソフト圧縮処理を終了する。
【００６３】
次に、ＣＰＵ２０は、両面読取処理において、Ｒ２センサ１３を用いて搬送経路４５を搬送される原稿の位置を確認する（Ｓ３０：ＮＯ）。ＣＰＵ２０は、Ｒ２センサ１３がオンし、搬送経路４５のＲ２センサ１３に対応する位置に原稿が到達したことを検出すると（Ｓ３０：ＹＥＳ）、Ｒ２センサ１３がオンしてから搬送方向におけるＲ２センサ１３と読取部３０の間の距離に相当する第２ステップ数だけ原稿を更に搬送し、読取部３０を用いて原稿の表面画像の読み取りを開始する（Ｓ３２）。読取部３０を用いて原稿の表面画像の読み取りを開始する。これにより、ＲＡＭ２７には、読取部３０のリニアイメージセンサ３３によって読み取られ、画像処理部２３によって各種補正された表面画像の画像データがリニアイメージセンサ３３の１ライン毎に順に記憶される。ＣＰＵ２０は、表面画像の読み取りを開始すると、ダイレクトメモリコントローラ２８及び画像処理部２３を制御して、読み取られた表面画像に対してハード圧縮処理を実行させる（Ｓ３４）。
【００６４】
ハード圧縮処理にいおて、ダイレクトメモリコントローラ２８は、ＲＡＭ２７に表面画像の画像データが１６ライン分、記憶されると、１６ライン分の画像データをＪｐｅｇ圧縮器２４に送信する。画像処理部２３は、電圧供給部２２から供給される駆動電圧、及びクロック信号供給部２５から供給されるクロック信号を用いて、Ｊｐｅｇ圧縮器２４により当該１６ライン分の画像データを圧縮する。ダイレクトメモリコントローラ２８は、Ｊｐｅｇ圧縮器２４により圧縮された１６ライン分の画像データをＲＡＭ２７に出力する。ＣＰＵ２０は、ＰＣスキャナモードが設定されている場合、ＲＡＭ２７に出力された圧縮された画像データを、通信部１７を介して外部ＰＣに転送する。一方、ＣＰＵ２０は、ＰＣスキャナモードが設定されていない場合、ＲＡＭ２７に出力された圧縮された画像データに対して回転や並べ替えなどの処理を実行し、ＲＡＭ２７に出力される複数の画像データによって圧縮された表面画像を形成する。
【００６５】
ＣＰＵ２０は、原稿の読み取りを開始すると、Ｒ１センサ１２を用いて原稿の裏面画像の読み取りが終了するのを待機する（Ｓ３６：ＮＯ）。ＣＰＵ２０は、Ｒ１センサ１２がオフし、原稿が搬送経路４５のＲ１センサ１２に対応する位置を通過したことを検出すると（Ｓ３６：ＹＥＳ）、Ｒ１センサ１２がオフしてから第１ステップ数だけ原稿を更に搬送し、原稿の裏面画像の読み取りを終了する（Ｓ３８）。
【００６６】
また、ＣＰＵ２０は、Ｒ２センサ１３を用いて原稿の表面画像の読み取りが終了するのを待機する（Ｓ４０：ＮＯ）。ＣＰＵ２０は、Ｒ２センサ１３がオフし、原稿が搬送経路４５のＲ２センサ１３に対応する位置を通過したことを検出すると（Ｓ４０：ＹＥＳ）、Ｒ２センサ１３がオフしてから第２ステップ数だけ原稿を更に搬送し、原稿の表面画像の読み取りを終了する（Ｓ４２）。
【００６７】
原稿の読取完了後、ＣＰＵ２０は、ハード圧縮処理及びソフト圧縮処理が完了するのを監視する。図３に示すように、本実施形態の複合機１では、第１動作モード及び第２動作モードのいずれの動作モードにおいても、画像処理部２３におけるハード圧縮処理が、ＣＰＵ２０におけるソフト圧縮処理よりも早く完了するように設定されている。
【００６８】
そのため、ＣＰＵ２０は、まず、ハード圧縮処理が完了するのを監視し（Ｓ４４：ＮＯ）、ハード圧縮処理が完了すると（Ｓ４４：ＹＥＳ）、ＰＣスキャナモードが設定されているかを確認する（Ｓ４６）。ＣＰＵ２０は、ＰＣスキャナモードが設定されていない場合（Ｓ４６：ＮＯ）、画像形成部７０に圧縮された表面画像を出力する。画像形成部７０は、圧縮された表面画像が入力されると、シート材に表面画像を形成する（Ｓ４８）。ＣＰＵ２０は、ＰＣスキャナモードが設定されている場合（Ｓ４６：ＹＥＳ）、あるいは画像形成部７０への圧縮された表面画像の出力が終了すると、以下の処理に進む。
【００６９】
次に、ＣＰＵ２０は、ソフト圧縮処理が完了するのを監視する（Ｓ５０：ＮＯ）。そして、ハード圧縮処理が完了すると（Ｓ５０：ＹＥＳ）、ＰＣスキャナモードが設定されているかを確認する（Ｓ５２）。ＣＰＵ２０は、ＰＣスキャナモードが設定されていない場合（Ｓ５２：ＮＯ）、画像形成部７０に圧縮された裏面画像を出力する。画像形成部７０は、圧縮された裏面画像が入力されると、シート材に裏面画像を形成する（Ｓ５４）。ＣＰＵ２０は、ＰＣスキャナモードが設定されている場合（Ｓ５２：ＹＥＳ）、あるいは画像形成部７０への圧縮された裏面画像の出力が終了すると、両面読取処理及び読取処理を終了する。
【００７０】
４．本実施形態の効果
（１）本実施形態の複合機１では、搬送経路４５上の上流側に位置し、原稿を先に読み取る読取部６０で読み取られた裏面画像をＣＰＵ２０によりソフト圧縮処理を行い、搬送経路４５上の下流側に位置し、原稿を後に読み取る読取部３０で読み取られた表面画像を画像処理部２３によりハード圧縮処理を行う。一般に、ソフト圧縮処理は、ハード圧縮処理よりも長い圧縮時間が必要となる。そのため、図３の第１動作モードにおけるタイミングチャートで示すように、先に読み取られた裏面画像を比較的長い圧縮時間が必要となるＣＰＵ２０でソフト圧縮処理を行うことで、ソフト圧縮処理とハード圧縮処理における圧縮時間の差を緩和することができ、表面画像及び裏面画像の圧縮処理を高速化することができる。
【００７１】
本実施形態の複合機１では、更に、第２動作モードを備え、先に読み取られた裏面画像をＣＰＵ２０でソフト圧縮処理することでもなお生じている圧縮時間の差を緩和するように、画像処理部２３に供給する駆動周波数を低下させ、それに対応させて画像処理部２３に供給する駆動電圧値を低下させる。一般に、画像処理部２３における消費電量は、駆動電圧値の二乗に比例する。そのため、第２動作モードを選択することで、画像処理部２３で消費される電力を抑制することができる。
【００７２】
（２）本実施形態の複合機１では、第２動作モードの駆動周波数が、ソフト圧縮処理における裏面画像の圧縮の完了に先だってハード圧縮処理における表面画像の圧縮が完了するように設定されている。そのため、画像処理部２３における消費電量を低減させるために画像処理部２３に供給する駆動周波数を低下させた結果、ハード圧縮処理における表面画像の圧縮の完了が、ソフト圧縮処理における裏面画像の圧縮の完了よりも遅くなってしまい、表面画像及び裏面画像の圧縮処理をが遅延してしまうことを回避することができる。
【００７３】
（３）本実施形態の複合機１では、画像処理部２３が第１動作モードで制御されることで、表面画像のハード圧縮処理を、裏面画像のソフト圧縮処理よりも基準時間ＫＴ以上早く完了させることができる。そのため、画像形成部７０を用いた画像の形成において、表面画像と裏面画像を連続して形成する際に、基準時間ＫＴを利用して表面画像と裏面画像を連続してスムースに形成することができる。
【００７４】
（４）本実施形態の複合機１では、ユーザによって入力された読取指示に、ＰＣスキャナモード又は省エネモードが設定されている場合に、画像処理部２３を第２動作モードで制御する。ＰＣスキャナモードが設定されている場合、表面画像のハード圧縮処理を、裏面画像のソフト圧縮処理よりも基準時間ＫＴ以上早く完了させる必要がなく、消費電力を抑えて動作することが望まれている。また、省エネモードが設定されている場合、消費電力を抑えて動作することが望まれている。本実施形態の複合機１では、これらのモードが設定されている場合に、第２動作モードで制御することで、当該モードで望まれている消費電力の抑制を実現することができる。
【００７５】
＜他の実施形態＞
本発明は上記記述及び図面によって説明した実施形態に限定されるものではなく、例えば次のような種々の態様も本発明の技術的範囲に含まれる。
（１）上記実施形態では、複合機１を用いて説明を行ったが、本発明はこれに限られない。例えば、プリンタ機能、スキャナ機能、コピー機能、ファクシミリ機能の少なくとも１つの機能を備えた装置であっても良い。
【００７６】
（２）上記実施形態では、複合機１が１つのＣＰＵ２０を有し、電圧供給部２２やクロック信号供給部２５などの各部の制御を当該１つのＣＰＵ２０によって実行する例を用いて示したが、本発明はこれに限られない。例えば、複数のＣＰＵにより各部が構成されていてもよい。さらには、単数又は複数のＣＰＵ及びＡＳＩＣによって、各部が構成されてもよい。
【００７７】
（３）また、ＣＰＵ２０が実行するプログラムは必ずしもＲＯＭ２６に記憶されている必要はなく、ＣＰＵ２０自身に記憶されていてもよければ、他の記憶装置に記憶されていてもよい。
【００７８】
（４）上記実施形態では、ＣＰＵ２０及び画像処理部２３において行われる共通の画像処理として圧縮処理を用いて説明を行ったが、これに限られず、他の画像処理が行われる場合に適用してもよい。
【００７９】
（５）上記実施形態では、原稿の裏面を読み取った裏面画像にソフト圧縮処理を実行し、原稿の表面を読み取った表面画像に対してハード圧縮処理を実行する例を用いて説明を行ったが、これに限られず、例えば、連続して読み取られる原稿に対して、先に読み取られた原稿画像にソフト圧縮処理を実行し、後に読み取られた原稿画像にハード圧縮処理を実行する場合に適用してもよい。
【符号の説明】
【００８０】
１：複合機、１７：通信部、２０：ＣＰＵ、２２：電圧供給部、２３：画像処理部、２４：Ｊｐｅｇ圧縮器、２５：クロック信号供給部、２８：ダイレクトメモリコントローラ、３０：読取部、４７：排紙トレイ、６０：読取部、７０：画像形成部、ＨＴ：搬送時間差、ＴＯ：表面圧縮時間、ＴＵ：裏面圧縮時間
【図１】
2014049947.tif 000003
【図２】
2014049947.tif 000004
【図３】
2014049947.tif 000005
【図４】
2014049947.tif 000006
【図５】
2014049947.tif 000007
【図６】
2014049947.tif 000008